(57)【特許請求の範囲】
【請求項１】
枠状の外枠と、
該外枠の前面に片開きの扉状に装着される前枠と、
該前枠に対して着脱自在に装着される遊技盤ユニットと、を備え、
前記遊技盤ユニットは、
板状の遊技盤の前面に遊技球を落下させて遊技を行う少なくとも上部が略半円形である遊技領域を有すると共にその遊技領域の中央付近に開設された最大取付開口部に表示機能及び／又は入賞機能を有する役物装置が装着され、
さらに該役物装置の上部位置から前記遊技領域の左側及び下側が障害釘が植設された遊技球の遊び落下領域になっており、
一方、役物装置の上部位置から前記遊技領域の右側が前記遊び落下領域に連通する球通路領域になっている遊技機であって、
前記遊技盤は、該遊技盤の外周囲を構成する凹枠盤と、該遊技盤の前記遊技領域を構成する遊技領域構成板とを備えており、
前記凹枠盤は、合成樹脂製で前記遊技領域にほぼ対応する部分が開口する環状に形成され且つその開口の内周に凹段部を有するものであり、
前記遊技領域構成板は、
前記遊び落下領域にほぼ対応し且つ前記最大取付開口部の右側が開放された正面視略Ｃ字状をなす遊技主板と、
前記球通路領域にほぼ対応し且つ前記遊技主板の前記最大取付開口部の開放部分をつないで該最大取付開口部の右側を閉じる連結副板と、に分割して形成され、
前記遊技主板を前記障害釘の植設が可能な均一厚さで透明な合成樹脂板で形成すると共に前記連結副板を前記遊技主板の板厚に比べて薄い板部材にリブを突設して補強した樹脂成形品で形成し、
さらに前記遊技主板と前記連結副板の互いの接合部分を止着することにより両者を一体化して前記遊技領域構成板とした状態で前記凹枠盤の前記凹段部に嵌めるようにしたことを特徴とする遊技機。
【請求項２】
前記連結副板を透光性を有する合成樹脂で形成すると共にその後面に照明基板を装着し、該照明基板の前面に発光部材を設置して連結副板の前記板部材を照射するようにしたことを特徴とする請求項１記載の遊技機。
【発明の詳細な説明】
【技術分野】
【０００１】
本発明は、遊技者が遊技領域に遊技球を打ち込んで遊技を行う遊技機に関する。
【背景技術】
【０００２】
前記遊技機の代表例としてパチンコ機がある。周知のようにパチンコ機は、遊技者が、ガイドレールで囲われた略円形の遊技領域に遊技球を打ち込み、その遊技球が遊技領域を落下する過程で入賞したとき、その入賞に応じて遊技者に所定数の遊技球が景品として払い出され、一方、入賞しなかった遊技球がアウト球として遊技場側に回収されるようになっている。
【０００３】
前記遊技領域の構成は遊技内容により様々であるが、近年、遊技領域の中央付近に開設された最大取付開口部に表示機能及び／又は入賞機能を有する大型の役物装置が装着され、さらに該役物装置の上部位置から前記遊技領域の左側及び下側が障害釘が植設された遊技球の遊び落下領域になっており、一方、役物装置の上部位置から前記遊技領域の右側が前記遊び落下領域に連通する球通路領域になっているものがある。かかる遊技機は、遊技球を強く弾いていわゆる「右打ち」した場合に、役物装置の上部位置からその役物装置の右側を通る球通路領域を介して前記遊び落下領域の右側に打ち込むことができる。
【先行技術文献】
【特許文献】
【０００４】
【特許文献１】特開２０１０−２２７４９８号公報
【発明の概要】
【発明が解決しようとする課題】
【０００５】
通常、遊技機の遊技領域は、遊技盤ユニットを構成する遊技領域構成板に形成されている。この遊技領域構成板は、従来、合板（ベニヤ板）が主流であったが、近年ではアクリル樹脂等の合成樹脂板で形成されるものもある。このような合成樹脂板は、透明性や透光性に優れるため光や画像を駆使した合板では出来ない演出が行えるメリットがある反面、重量が重く且つ高価であるという問題がある。
【０００６】
本発明は、上記に鑑みなされたもので、その目的は、合成樹脂板による遊技領域構成板の軽量化を達成し且つ価格も抑制可能な遊技機を提供することにある。
【課題を解決するための手段】
【０００７】
上記の目的を達成するため本発明は、枠状の外枠と、該外枠の前面に片開きの扉状に装着される前枠と、該前枠に対して着脱自在に装着される遊技盤ユニットと、を備え、
前記遊技盤ユニットは、板状の遊技盤の前面に遊技球を落下させて遊技を行う少なくとも上部が略半円形である遊技領域を有すると共にその遊技領域の中央付近に開設された最大取付開口部に表示機能及び／又は入賞機能を有する役物装置が装着され、さらに該役物装置の上部位置から前記遊技領域の左側及び下側が障害釘が植設された遊技球の遊び落下領域になっており、一方、役物装置の上部位置から前記遊技領域の右側が前記遊び落下領域に連通する球通路領域になっている遊技機であって、
前記遊技盤は、前記遊技領域を構成する遊技領域構成板を備えるか又は該遊技領域構成板自体で構成されており、
前記遊技領域構成板は、前記遊び落下領域に対応し且つ前記最大取付開口部の右側が開放された正面視略Ｃ字状をなす遊技主板と、前記球通路領域に対応し且つ前記遊技主板の前記最大取付開口部の開放部分をつないで該最大取付開口部の右側を閉じる連結副板と、に分割して形成され、
前記遊技主板を前記障害釘の植設が可能な均一厚さの合成樹脂板で形成すると共に前記連結副板を前記遊技主板の板厚に比べて薄い板部材にリブを突設して補強した樹脂成形品で形成するものである遊技機を提供する。
なお、ここで、遊技盤が、遊技領域を構成する遊技領域構成板を備えるとは、遊技盤の一部に遊技領域構成板が組み込まれていることをいい、また、遊技盤が、遊技領域を構成する遊技領域構成板自体で構成されるとは、遊技盤が遊技領域構成板自体で形成され、遊技盤イコール遊技領域構成板の状態であることをいう。
【０００８】
また、請求項２に記載したように、前記連結副板を透光性を有する合成樹脂で形成すると共にその後面に照明基板を装着し、該照明基板の前面に発光部材を設置して連結副板の前記板部材を照射するようにした請求項１記載の遊技機を提供する。
【発明の効果】
【０００９】
本発明の遊技機は、遊技領域構成板を、最大取付開口部の右側が開放された正面視略Ｃ字状をなす遊技主板と、最大取付開口部の前記開放部分を閉じる連結副板とに分割し、前記遊技主板をこれまでと同様の合成樹脂板で形成する一方、前記連結副板を軽量構造の樹脂成形品で形成したため、遊技領域構成板全体の軽量化が達成できる。
しかも本発明の遊技機は、いわゆる「右打ち」に対応するもので役物装置の上部位置から遊技領域の右側が球通路領域になっており、この球通路領域に対応する連結副板は樹脂成形品で形成しても機能上支障がなく、また、障害釘の安定支持等を考慮することなく安価な合成樹脂が使用できるため、遊技領域構成板のコストも削減し得る。
【００１０】
また、請求項２の遊技機では、連結副板をリブ補強構造にしたことにより生ずる空間内に発光部材を設けるようにしたため、発光部材が遊技盤の内部に埋め込まれた状態になって後面側への出っ張りが抑制される。したがって、遊技盤惹いては遊技盤ユニット後面がほぼ平らにできるため取扱いが容易になる。
【図面の簡単な説明】
【００１１】
【図１】遊技盤ユニットの斜視図である。
【図２】遊技盤ユニットの分解斜視図である。
【図３】ガイドレールを外した遊技盤ユニットの斜視図である。
【図４】ガイドレールの分解斜視図である。
【図５】役物装置と遊技盤の斜視図である。
【図６】遊技盤の分解斜視図である。
【図７】遊技領域構成板の分解斜視図である。
【図８】連結副板の分解斜視図である。
【図９】役物装置を断面にして示す遊技盤ユニットの正面図である。
【図１０】図９の右角部拡大図である。
【図１１】ガイドレールを外した遊技盤ユニットの正面図である。
【図１２】遊技盤の正面図である。
【図１３】図１２のＡ−Ａ線断面図である。
【図１４】図１２のＢ−Ｂ線断面図である。
【図１５】図１２のＣ−Ｃ線断面図である。
【図１６】遊技機の正面図である。
【図１７】他の形態を示す役物装置と遊技盤の斜視図である。
【図１８】他の形態を示す遊技盤の分解斜視図である。
【図１９】他の形態を示す遊技盤の正面図である。
【図２０】ガイドレールを外した他の形態を示す遊技盤ユニットの正面図である。
【図２１】（ａ）〜（ｃ）は、遊技主板と連結副板の下側の継ぎ目を示す要部拡大断面図である。
【発明を実施するための形態】
【００１２】
［実施形態１］
以下に本発明の実施形態１を遊技機の一例たるパチンコ機について説明する。なお、説明の全体を通じて遊技者に向かう側を前面とし、反対側を後面とする。
【００１３】
［パチンコ機］
周知のようにパチンコ機１は、図１３の正面図に示したように、四角い枠状の外枠２と、該外枠２の前面に同図において左端を回転中心とする片開きの扉状に装着された前枠３と、該前枠３に形成された装着部（図示せず）に着脱可能な状態に装着される遊技盤ユニット４と、を備えており、遊技者が遊技盤ユニット４の前面に形成された遊技領域５に遊技球（パチンコ球）を打ち込み、遊技領域５を落下する過程で該遊技領域５に設けられた入賞口への遊技球の入賞によって遊技場側から所定数の遊技球が景品として払い出され、一方、入賞しなかった遊技球がアウト球としてアウト球口６から遊技場側に回収されるようになっている。
【００１４】
［前枠］
前記前枠３は、外枠２前面のほぼ全体を覆う大きさであり、合成樹脂製又は木製である。また、前枠３は、前面の右下隅角部を除くほぼ全体が、窓孔７に透明板８を嵌めた開閉自在な前面扉９で覆われている。そして前枠３の前記右下隅角部には、後面側に図１６に破線で示した遊技球発射用の打球槌１０が揺動可能に設けられ、前面側に該打球槌１０による遊技球の打力を調節する操作ハンドル１１が設けられている。なお、一般的な打球槌１０は、ばねの弾発力で遊技球を打ち出すものであり、前記操作ハンドル１１は、そのばねの弾発力を加減して打球槌１０の打力を調節するようになっている。
［前面扉］
前記前面扉９の前面には景品又は遊技者の支払分に応じた貸球として払い出される遊技球を受ける球受皿１２が設けられており、該球受皿１２に入った遊技球が図１６に破線で示した発射レール１３の発射位置に供給され、その発射位置にある遊技球が打球槌１０で打ち出されて遊技領域５に打ち込まれる。
【００１５】
［遊技盤ユニット］
前記遊技盤ユニット４は、図２の分解斜視図に示したように、これまでの合板製の遊技板に相当する遊技盤１４と、該遊技盤１４の前面を近似渦巻線状に約１.５周してほぼ円形の遊技領域５を形成するガイドレール１５と、を備えている。
【００１６】
［遊技領域］
遊技盤ユニット４の遊技領域５には、遊技を構成するための役物装置１６、単純入賞器１７、可変入賞器１８、入賞型球検出器１９、通過型球検出器２０、障害釘（図示せず）、風車（図示せず）等の各種遊技部材が設けられている。
これらの遊技部材の中でも役物装置１６は、図９に示したように遊技領域５の中心付近に装着された最大形状のものであり、遊技盤１４の前面に当接する取付基板２１を基準にして後半部が遊技領域５の中央付近に開設された最大取付開口部２２max（図５参照。）に嵌め込まれ、一方、前半部が遊技領域５の盤面より前方に突出する左周壁２３Ｌ、上周壁２３Ｔ、右周壁２３Ｒで囲われている。実施形態の役物装置１６は、後半部の後面に液晶等の表示画面２４が設けられていてその表示画面２４による表示機能と、図９において左周壁２３Ｌに開設された球入口２５に飛び込んだ遊技球を後半部の底部に形成した遊動ステージ２６（図１参照）上で遊動させつつ適度な確率で遊技領域５内にある入賞型球検出器１９へ誘導し、それ以外の遊技球を単純に遊技領域５内に落下させる間接的な入賞機能を有する。なお、このような役物装置１６は公知であり、例えば特開２００６−２８０５３０号等に詳しく記載されている。
【００１７】
実施形態の役物装置１６は、上記のように表示機能と間接的な入賞機能を有するが、それ以外に例えば球入口２５に飛び込んだ遊技球を入賞球として処理する直接的な入賞機能を備えるようにしてもよく、或は表示機能と入賞機能の何れか一方のみを備えるようにしてもよい。
【００１８】
役物装置１６は、図９に示したように、遊技領域５の実際の中央より若干上寄り且つ右寄りの位置にあって、その上部位置、具体的には上周壁２３Ｔの略中央から遊技領域５の左側と下側が広く開いており、この部分を遊び落下領域５ａとして前記単純入賞器１７、可変入賞器１８、入賞型球検出器１９、通過型球検出器２０、風車、多数の障害釘等の遊技部材が設けられる。
【００１９】
一方、役物装置１６の上部位置から右側、具体的には上周壁２３Ｔの略中央から右周壁２３Ｒの全体に亘る部分とガイドレール１５との間が遊技球が通過可能な球通路領域５ｂになっており、この球通路領域５ｂが役物装置１６の底部に沿って横斜め下方向に伸びる緩流通路２７を介して前記遊び落下領域５ａの右端に連通している。
【００２０】
実施形態のパチンコ機１は、遊技領域５内に以上の態様で遊技部材が配置されており、例えば通過型球検出器２０を遊技球が通過した場合や、入賞型球検出器１９に入賞した場合に、遊技用制御装置（図示せず）がプログラムに従って大当たり抽選を行い、その抽選結果を役物装置１６の表示画面２４で様々な演出を行いながら表示する。
そして抽選結果がハズレの場合は通常遊技モードが継続され、一方、抽選結果が当たりの場合は特別遊技モードに移行する。この特別遊技モードでは、例えば可変入賞器１８の横長開閉板１８ａ或は開閉翼片１８ｂを所定時間・所定態様で開閉して入賞確率を飛躍的に増大させる。このように可変入賞器１８が開閉している状態では、球通路領域５ｂを経由して緩流通路２７から遊び落下領域５ａの右側に遊技球を打ち込んだ方が入賞確率が高い場合があり、そのような場合に遊技者は操作ハンドル１１を最強に調節して右打ちを実行する。
なお、遊技内容は多種多様であり、もちろん上記の遊技内容に限定されない。
【００２１】
［遊技盤］
前記遊技盤１４は、図６の分解斜視図に示したように、遊技盤１４の外周囲を構成する環状の凹枠盤１４ａと、該凹枠盤１４ａの内周に形成した凹段部２８に嵌まる遊技領域構成板１４ｂとを備えている。
【００２２】
［凹枠盤］
前記凹枠盤１４ａは合成樹脂製であり、これまでの合板製の遊技板に近似した外形と該合板製の遊技板と同程度の厚み（１８〜１９ｍｍ）を有し、正面側の内周に略八角形で深さが１０〜１１ｍｍ程度の凹段部２８が形成されている。
【００２３】
［遊技領域構成板］
前記遊技領域構成板１４ｂは、凹枠盤１４ａの凹段部２８にほぼ整合する略八角形の外形と、凹段部２８の深さとほぼ同じ厚さ（例えば１０〜１１ｍｍ）を有し、正面に遊技領域５が形成され、さらに遊技領域５に前記遊技部材を取り付けるための取付開口部２２，２２…を有する。この遊技領域構成板１４ｂは、図７の分解斜視図に示したように、分割して形成された遊技主板１４ｂ−１と連結副板１４ｂ−２とを組み合わせて構成されている。
【００２４】
［遊技主板］
前記遊技主板１４ｂ−１は、遊技領域５の前記遊び落下領域５ａにほぼ対応し且つ役物装置１６を取り付ける最大取付開口部２２maxの右側が開放された正面視略Ｃ字状をなす均一厚さの例えばアクリル樹脂、ポリカーボネイト樹脂等の合成樹脂板である。遊技主板１４ｂ−１を構成する合成樹脂は、透光性を有するものがよいが、透光性を有しないものであってもよい。なお、実施形態の遊技主板１４ｂ−１の材質は、透明度が高く且つ障害釘の安定支持が可能であることからアクリル樹脂が最も好ましい。
【００２５】
［連結副板］
前記連結副板１４ｂ−２は、遊技領域５の球通路領域５ｂにほぼ対応し且つ前記遊技主板１４ｂ−１の最大取付開口部２２maxの開放部分をつないで該最大取付開口部２２maxの右側を閉じる形状になっている。この連結副板１４ｂ−２は、遊技主板１４ｂ−１の板厚に比べて薄い例えば厚さ２〜３ｍｍ程度の板部材２９の外周に同程度の厚みのリブ３０を後ろ向きに突設して補強した樹脂成形品で形成され、遊技主板１４ｂ−１の合成樹脂に比べて安価なＡＢＳ樹脂等で出来ている。
【００２６】
連結副板１４ｂ−２は、前記のように板部材２９の外周をリブ３０で囲って必要な強度を得る構造であることより、後面が開口した箱形状になっている。その連結副板１４ｂ−２の後面開口部に照明基板３１が装着され、該照明基板３１の前面に発光部材たるＬＥＤ３２，３２…が適度な間隔で点線状に配設されている。このように実施形態の連結副板１４ｂ−２は、光演出用の発光部材が内部に仕込まれた内蔵状態になっているため、後面側に照明基板３１を出っ張らせることなく遊技主板１４ｂ−１と同程度の厚さか或はそれ以下の厚さに納めることができる。これにより光演出用の発光部材を備えながらも遊技盤ユニット４への遊技盤１４の装着惹いては遊技盤ユニット４の前枠３への着脱に支障が生じない。
【００２７】
［遊技主板−連結副板］
遊技主板１４ｂ−１と連結副板１４ｂ−２は、それぞれの接合部分に形成した接合段部３３，３４同士を重ね合わせてビス３５，３５…によって止められている。遊技主板１４ｂ−１の接合段部３３は、前面側から後面側に向けて一段下がった階段状であり、一方、連結副板１４ｂ−２の接合段部３４は、後面側から前面側に向けて一段下がった階段状であり、両接合段部３３，３４を重ね合わせたいわゆる相欠き継ぎ状態で遊技主板１４ｂ−１と連結副板１４ｂ−２が段差なく連結される。そして、連結副板１４ｂ−２の接合段部３４の後面側から遊技主板１４ｂ−１の接合段部３３に向けて前記ビス３５，３５…が締め込まれている。なお、連結副板１４ｂ−２の接合段部３４の後面側からビス３５，３５…を締め込むことにより、凸凹の要因となり得るビス３５，３５…の頭部が遊技盤１４の後面側に位置するため、遊技領域５の前面の平滑性が保ちやすい。
【００２８】
前記のように役物装置１６は連結副板１４ｂ−２で閉じた最大取付開口部２２maxに取り付けられるため、その役物装置１６の取付基板２１は遊技主板１４ｂ−１と連結副板１４ｂ−２のそれぞれにビス止めされる。したがって遊技主板１４ｂ−１と連結副板１４ｂ−２は該役物装置１６を介してさらに強くつながっている。
【００２９】
［ガイドレール］
ガイドレール１５は、図４に示したように、大きな弧を描く第一レール部材１５ａ（一般に「外レール」ともいう。）と、該第一レール部材１５ａより若干小さな弧を描く第二レール部材１５ｂ（一般に「内レール」ともいう。）とを球受け段部３６でつないで約１.５周程度の近似渦巻線状にしたものであり、前記発射レール１３（図１６参照。）から打ち出された遊技球が第一レール部材１５ａと第二レール部材１５ｂの間に形成された導入通路を通って遊技領域５に飛び込む。前記球受け段部３６にはゴム等の緩衝材が取り付けられており、球受け段部３６に衝突する遊技球Ｂを図１０想像線のように斜め下向きに跳ね返して打ち出し時の勢いにブレーキが掛かるようにしてある。
【００３０】
なお、図１０に示したように球通路領域５ｂには、役物装置１６の上周壁２３Ｔと右周壁２３Ｒの境界付近であって前記球受け段部３６に対向する位置に、球受け段部３６で跳ね返された遊技球を受ける横Ｕ字空間３７が形成されている。この横Ｕ字空間３７を球受け段部３６との関連で配置したことにより、球受け段部３６で跳ね返った遊技球が一旦横Ｕ字空間３７の奥に入って反対方向に向きを変え、そうして大きく減速してから球通路領域５ｂを下って緩流通路２７へと流れ、最終的に遊技領域５の遊び落下領域５ａに放出される。したがって緩流通路２７から遊び落下領域５ａに飛び込み、勢い余って入賞型球検出器１９の側面に衝突するようなおそれが殆どない。
【００３１】
前記ガイドレール１５は、前記遊技盤１４の遊技領域５の外側を覆い、外形が凹枠盤１４ａの外形にほぼ重なる形状の装飾カバー部３８を一体に備えており、全体が凹枠盤１４ａと同じ合成樹脂で形成されている。もっとも第一レール部材１５ａの内周面には打ち出し時の勢いによって遊技球が強く接触するため、該第一レール部材１５ａの内周面には帯板状の金属板３９が貼り付けられている。これにより第一レール部材１５ａの摩擦抵抗が小さくなって遊技球の飛距離が増大し且つ第一レール部材１５ａの耐久性も向上する。また、第一レール部材１５ａは、図４に示したように前記球受け段部３６を含んでいて凹枠盤１４ａの隅角部に対応する３つの角張った部分を有し、該角張った部分同士の間の中間部分４０が細くて著しく強度のバランスが悪いため、組み立て等の取り扱い時に中間部分４０が折れるおそれがあるが、前記のように第一レール部材１５ａの内周面に金属板３９を貼り付けておくことにより中間部分４０の強度が高まるため、取り扱いが容易になって組み立て等の作業性が向上する。
【００３２】
［実施形態２］
図１７は実施形態２の役物装置１６と遊技盤１４の斜視図であり、図１８は実施形態２の遊技盤１４の分解斜視図である。
前記実施形態１は、遊技盤１４が、遊技領域５を構成する遊技領域構成板１４ｂを備える技術思想に対応するものであるのに対し、実施形態２は、遊技盤１４が、遊技領域５を構成する遊技領域構成板１４ｂ自体で構成される技術思想に対応するものであり、したがって実施形態１の凹枠盤１４ａに相当する部材はなく、遊技盤１４イコール遊技領域構成板１４ｂということになる。それ以外の点については実施形態１と同様であるため、詳細な説明を省略する。
【００３３】
以上、本発明を実施形態１，２について説明したが、もちろん本発明は上記実施形態１，２に限定されるものではない。例えば、実施形態１，２では、遊技主板１４ｂ−１を単体構造の合成樹脂板で形成したが、複数枚を積層した複層構造の合成樹脂板を使用するようにしてもよい。
また、実施形態１，２では、遊技領域５を略円形にしたが、該遊技領域５は少なくとも上部が略半円形であればよく、下部は弧状でなくとも例えばアール面取り状の角部を左右方向に張り出させたような形状であってもよい。
また、実施形態１，２では、連結副板１４ｂ−２の内部に発光部材を内蔵したが、発光部材を設けない状態でも実施は可能である。
また、実施形態では遊技機の一例としてパチンコ機を例示したが、それ以外にも雀球式遊技機やアレンジボールその他の遊技機にも同様に適用可能である。
また、実施形態では、ガイドレール１５に装飾カバー部３８を一体に形成したが、ガイドレール１５の全てを金属帯板で形成し、装飾カバー部３８を別体にしてもよい。
【００３４】
また、実施形態では、球通路領域５ｂから遊び落下領域５ａに流れ込む遊技球を減速させるための手段として、球受け段部３６、横Ｕ字空間３７、緩流通路２７を例示したが、それ以外の遊技球の減速手段としては、図１９、図２０、図２１（ａ）〜（ｃ）に示したようなものもある。すなわち、遊び落下領域５ａに流れ込む遊技球の進路（図１９〜図２１中矢示Ｒ参照）を横断（好ましくはほぼ直角）する位置に遊技主板１４ｂ−１と連結副板１４ｂ−２の継ぎ目１４ｂ−３を配置して該継ぎ目１４ｂ−３を遊技領域５の盤面に露出させるようにするのである。
【００３５】
前記継ぎ目１４ｂ−３の具体的態様は、例えば図２１（ａ）に示したように相対的に遊技主板１４ｂ−１の前面を連結副板１４ｂ−２の前面より高くして適宜な段差Ｘを設けたり、図２１（ｂ）に示したように遊技主板１４ｂ−１と連結副板１４ｂ−２の間に適宜な隙間Ｙを設けたり、図２１（ｃ）に示したように少なくとも連結副板１４ｂ−２の角部に面取り部Ｚを設けて適宜な隙間Ｙを設けたり、或はこれらを適宜組み合わせるなど、要するに遊技球の移動にブレーキが掛けられればどのようなものでもよい。なお、遊技主板１４ｂ−１と連結副板１４ｂ−２とでは、材質と構造の違いから遊技主板１４ｂ−１の方が熱膨張量が大きいことを考慮し、低室温（例えば１５℃〜２０℃程度）での使用を基準にして継ぎ目１４ｂ−３の具体的態様を設定するとよい。そうすることにより、遊技場の室温が変動しても遊技球の移動に確実にブレーキを掛けることが可能になる。
【００３６】
以上のような態様で遊技主板１４ｂ−１と連結副板１４ｂ−２の継ぎ目１４ｂ−３を遊技領域５の盤面に露出させておけば、その継ぎ目１４ｂ−３を横断する際の抵抗により遊技球の速度を低下させることができる。この遊技球の減速手段は単独で使用し得るが、球受け段部３６、横Ｕ字空間３７、緩流通路２７等と適宜組み合わせて使用する方がより効果が高い。なお、斯かる遊技球の減速手段を有する遊技機は、以下のような技術的思想として把握することができる。
【００３７】
［技術的思想１］
枠状の外枠と、
該外枠の前面に片開きの扉状に装着される前枠と、
該前枠に対して着脱自在に装着される遊技盤ユニットと、を備え、
前記遊技盤ユニットは、
板状の遊技盤の前面に遊技球を落下させて遊技を行う少なくとも上部が略半円形である遊技領域を有すると共にその遊技領域の中央付近に開設された最大取付開口部に表示機能及び／又は入賞機能を有する役物装置が装着され、
さらに該役物装置の上部位置から前記遊技領域の左側及び下側が障害釘が植設された遊技球の遊び落下領域になっており、
一方、役物装置の上部位置から前記遊技領域の右側が前記遊び落下領域に連通する球通路領域になっている遊技機であって、
前記遊技盤は、前記遊技領域を構成する遊技領域構成板を備えるか又は該遊技領域構成板自体で構成されており、
前記遊技領域構成板は、
前記遊び落下領域にほぼ対応し且つ前記最大取付開口部の右側が開放された正面視略Ｃ字状をなす遊技主板と、
前記球通路領域にほぼ対応し且つ前記遊技主板の前記最大取付開口部の開放部分をつないで該最大取付開口部の右側を閉じる連結副板と、に分割して形成され、
前記遊技主板と前記連結副板の下側の継ぎ目を、前記遊び落下領域に流れ込む遊技球の進路を横断する態様にして遊技領域の盤面に露出させるようにしたことを特徴とする遊技機。
【００３８】
［技術的思想２］
前記遊技主板と前記連結副板の下側の継ぎ目は、前記遊び落下領域に流れ込む遊技球の進路を横断する態様であって前記遊技主板の前面を前記連結副板の前面より相対的に高くした段差形態である技術的思想１に記載の遊技機。
【００３９】
［技術的思想３］
前記遊技主板と前記連結副板の下側の継ぎ目は、前記遊び落下領域に流れ込む遊技球の進路を横断する隙間形態である技術的思想１又は技術的思想２に記載の遊技機。
【符号の説明】
【００４０】
１  …パチンコ機（遊技機）
２  …外枠
３  …前枠
４  …遊技盤ユニット
５  …遊技領域
５ａ  …遊び落下領域
５ｂ  …球通路領域
１４  …遊技盤
１４ｂ  …遊技領域構成板（遊技盤）
１４ｂ−１  …遊技主板
１４ｂ−２  …連結副板
１６  …役物装置
２２max  …最大取付開口部
２９  …板部材
３０  …リブ
３１  …照明基板
３２  …ＬＥＤ（発光部材）
Ｂ  …遊技球
【図１】
0005819648.tif 000002
【図２】
0005819648.tif 000003
【図３】
0005819648.tif 000004
【図４】
0005819648.tif 000005
【図５】
0005819648.tif 000006
【図６】
0005819648.tif 000007
【図７】
0005819648.tif 000008
【図８】
0005819648.tif 000009
【図９】
0005819648.tif 000010
【図１０】
0005819648.tif 000011
【図１１】
0005819648.tif 000012
【図１２】
0005819648.tif 000013
【図１３】
0005819648.tif 000014
【図１４】
0005819648.tif 000015
【図１５】
0005819648.tif 000016
【図１６】
0005819648.tif 000017
【図１７】
0005819648.tif 000018
【図１８】
0005819648.tif 000019
【図１９】
0005819648.tif 000020
【図２０】
0005819648.tif 000021
【図２１】
0005819648.tif 000022